(57)【要約】【課題】皮膚に直接接触することなく、衣類を汚すことなく、かつ効果的な磁力で患部の血行促進を図る磁石装着内外嵌合体を提供する。【解決手段】外嵌体（２）に内嵌体（３）が嵌合してなる扁平な嵌合体であって、内嵌体（３）に穿設した２個の安全ピン装着孔に、安全ピンが上記嵌合体を衣類に脱着容易に装着できるように取付けられており、該嵌合体内に永久磁石を内包することを特徴とし、内嵌体がブリキ板からなり、外嵌体がブリキ板、紙及びプラスチックスからなる群から選ばれた少なくとも１種の素材からなることを特徴とする。【選択図】図１
2004305406.tif 000002
【特許請求の範囲】
【請求項１】
外嵌体（２）に内嵌体（３）が嵌合してなる扁平な嵌合体であって、内嵌体（３）に２個の安全ピン装着孔が穿設され、該嵌合体内に永久磁石を内包することを特徴とする磁石装着内外嵌合体。
【請求項２】
安全ピン装着孔に、安全ピンが、上記嵌合体を衣類に脱着容易に装着できるように取付けられていることを特徴とする請求項１記載の磁石装着内外嵌合体。
【請求項３】
内嵌体（３）がブリキ板からなることを特徴とする請求項１又は２記載の磁石装着内外嵌合体。
【請求項４】
外嵌体（２）がブリキ板、板紙及びプラスチックスからなる群から選ばれた少なくとも１種の素材からなることを特徴とする請求項１ないし３のいずれかに記載する磁石装着内外嵌合体。
【請求項５】
外嵌体（２）の表面に図柄が施されていることを特徴とする請求項１ないし４のいずれかに記載する磁石装着内外嵌合体。
【発明の詳細な説明】
【０００１】
【発明が属する技術分野】
本発明は、外嵌体に内嵌体が嵌合してなる扁平な嵌合体の内部に、永久磁石を装着した磁石装着内外嵌合体に関し、より詳しくは、安全ピンにより嵌合体を衣類に装着することにより、かぶれることなく磁気を身体の任意の部位に作用させることができる磁石装着内外嵌合体に関する。
【０００２】
【従来の技術】
従来、肩こり等血行不良が生じている箇所には、磁力を加えることで、血行促進を図ることが知られていた。これは、体内の水素分子が磁力により一定方向を向くこと等に起因するものと考えられている。
そのため、絆創膏等で磁石を直接皮膚に接着する商品が開発され、広く市販されている。
【０００３】
この方法によると、磁石と絆創膏を１か所に長時間貼着することによりかぶれなどが生じることが多く、長期の使用に差支えがあった。そこで、磁石付きの粘着テープを衣類に貼着し、衣類を介して身体に磁気を作用させる方法も提案された。この方法は衣類が粘着剤で汚れること、磁石と人体皮膚との間に空間が生じて人体に作用する磁力が弱まるという問題があった。
【０００４】
磁力の単位として、磁束密度テスラ（以下「Ｔ」とする）が一般に用いられている。ここで、１Ｗｂ／ｍ２  ＝１Ｔであり、１００００ガウス＝１Ｔである。なお、人体に対する磁力の影響にはまだ不明な点も多いが、国で定める上限が２Ｔで、医療用ＭＲＩでは１．５Ｔである。
一方、従来の磁石付粘着テープでは、皮膚への接触部分における磁石本体の磁力は、０．０８Ｔ〜０．１３Ｔであるが、磁力の性質として、距離の２乗に反比例して磁束密度も減衰する。したがって、磁石と人体皮膚との距離が１ｃｍある場合、０．０８Ｔの磁力も０．０２５Ｔまで減衰してしまい、血行不良を充分に治療することができなかった。
【０００５】
【発明が解決しようとする課題】
そのため、皮膚に粘着剤を貼着することなく、衣類を粘着剤で汚すこともなく、かぶれを防止して長期間人体の一定部位に磁石を作用させる手段が求められていた。
更に、一般の需要者はツボを正確に発見することができず、ツボと離れた部位に磁石を貼着してしまうこともあった。正確にツボと一致しなくとも或いはツボをはずしていても、人体の患部に所定の磁力を及ぼし血行促進を図ることができる磁石の適用方法が望まれていた。
【０００６】
【課題を解決するための手段】
本発明は、上記課題を解決することを目的とし、その構成は、外嵌体（２）に内嵌体（３）が嵌合してなる扁平な嵌合体であって、内嵌体に穿設した２個の安全ピン装着孔に、安全ピンが上記嵌合体を衣類に脱着容易に装着できるように取付けられており、該嵌合体内に永久磁石を内包することを特徴とし、内嵌体がブリキ板からなり、外嵌体がブリキ板、紙及びプラスチックスからなる群から選ばれた少なくとも１種の素材からなることを特徴とする。
【０００７】
【発明の実施の形態】
以下、図面を参照して本発明の実施の形態を説明する。図１は本発明の嵌合体１の背面図であり、内嵌体３の一部を切欠き装着した永久磁石４が見えるようにした。図２は外嵌体２の背面図、図３は内嵌体３の表面図である。
外嵌体２は表面の縁を裏面に折込み、嵌合用折り返し５を設けたものである。この嵌合用折り返し５に内嵌体３を嵌合させて扁平な嵌合体１を形成する。
外嵌体２の素材はブリキ、紙、板紙、プラスチックス、アルミニウム等の内嵌体３と嵌合可能な素材を用い、これら素材を組合わせて用いることもできる。また、外嵌体２の大きさは取扱い容易であれば特に限定はない。更に、外嵌体２の表面に模様等の種々の図柄を施すと外観が向上する。
【０００８】
内嵌体３の裏面には永久磁石４を仮固定して外嵌体２と嵌合する。内嵌体３には２個の装着孔６を穿設する。この装着孔６に安全ピン７を挿入して内嵌体３の表面から安全ピン７の脱着を可能にする。
内嵌体３の素材は、比透磁率が２００以上であるブリキ等の鉄を主成分とする金属で強磁性体であることが望ましい。内嵌体３はその裏面に永久磁石４を仮止めする。装着孔６に安全ピン７を挿入し、裏面に永久磁石４を仮止めした状態で内嵌体３を外嵌体２の裏面と嵌合させる。
【０００９】
永久磁石４は、所定量の磁力を有するものであれば、フェライト磁石、アルニコ磁石、稀土類磁石等のいずれであってもよい。その大きさは外嵌体と内嵌体とにより形成された空間内に収納される厚み、大きさであれば特に限定はない。
本発明は、衣類に付着せしめるものであるため、永久磁石４から人体の皮膚までの距離が長くなることがあり、その場合は患部における磁力が極めて小さくなる。しかし、比透磁率の大きな強磁性体を磁界に介在せしめれば、磁力が比透磁率の大きさに比例して大きくなるため、患部における磁力が治療可能なものとなる。したがって、内嵌体３の素材は、永久磁石４の磁力の強さに応じて適宜選定すべきである。
【００１０】
図４は、本発明の磁石装着内外嵌合体を下着に付着せしめた状態を示す。図４においては肩の部位に装着したが、使用者によって血行不良が生じている箇所は異なるため、付着箇所も当然異なってくるが、任意の箇所に装着することができる。
【００１１】
【発明の効果】
本発明によれば、皮膚に直接接触することなく、磁性体を介在せしめた磁石装着内外嵌合体を提供することにより、皮膚がかぶれることなく、充分な磁力を患部に与えることで、肩こり等の血行不良を解消することが可能となる。
【図面の簡単な説明】
【図１】図１は本発明の一部切欠きを有する背面図である。
【図２】図２は外嵌体２の背面図である。
【図３】図３は内嵌体３の表面図である。
【図４】図４は本発明の磁石装着内外嵌合体を下着に付着せしめた状態図である。
【符号の説明】
１  嵌合体
２  外嵌体
３  内嵌体
４  永久磁石
５  嵌合用折り返し
６  装着孔
７  安全ピン
８  下着
【図１】
2004305406.tif 000003
【図２】
2004305406.tif 000004
【図３】
2004305406.tif 000005
【図４】
2004305406.tif 000006